(57)【要約】  本発明は、有効成分としてＨＰＬＣ(high pressure liquid chromatography)又はＧＣ(gas chromatography)で分析したＣ７〜Ｃ２１のアルキル置換基の比率が０.６以上である正イオン界面活性剤を含む繊維柔軟用組成物及びこれを含む繊維柔軟用シートに関するもので、本発明の繊維柔軟用組成物は、低温水でも優れた溶解及び分散効果を持つので、これを含む繊維柔軟用シートは、洗濯過程中のリンス時に用いて繊維及び衣類に優れた帯電防止効果及び繊維柔軟効果を果す。【特許請求の範囲】
【請求項１】
下記の化学式１、化学式２又は化学式３で表される１種以上の正イオン界面活性剤を含むが、前記正イオン界面活性剤は、下記の数学式１を満足させることを特徴とする繊維柔軟用組成物：
化学式１
【化１】
2010522282.tif 000012
化学式２
【化２】
2010522282.tif 000013
化学式３
【化３】
2010522282.tif 000014
数学式１
Ｑ／Ｔ≧０.６
前記式中、
Ｒ１、Ｒ２、Ｒ５、Ｒ６及びＲ７は、それぞれ直鎖状又は分岐状のＣ７〜Ｃ２１のアルキル基、Ｃ７〜Ｃ２１のアルケニル基又はＣ７〜Ｃ２１のアルキニル基であり、
Ｒ３及びＲ４は、それぞれＣ１〜Ｃ４のアルキル基であり、
Ａは、Ｃ１〜Ｃ４のアルキル基、(ＣＨ２)ｎＯＨ又は(ＣＨ２)ｍＯＣＯＲ８であり、
Ｂは、(ＣＨ２)ｎＯＨ又は(ＣＨ２)ｍＯＣＯＲ９であり
ここで、ｎ及びｍは、それぞれ１〜４の整数であり、
Ｒ８及びＲ９は、それぞれ直鎖状又は分岐状のＣ７〜Ｃ２１のアルキル基、Ｃ７〜Ｃ２１のアルケニル基又はＣ７〜Ｃ２１のアルキニル基であり、
Ｘは、ハロゲン又はＣ１〜Ｃ４の硫酸アルキルであり、
Ｔは、ＨＰＬＣ(high pressure liquid chromatography)又はＧＣ(gas chromatography)により検出される前記Ｒ１、Ｒ２、Ｒ５、Ｒ６、Ｒ７、Ａ及びＢ内のＣ７〜Ｃ２１のアルキル基、Ｃ７〜Ｃ２１のアルケニル基及びＣ７〜Ｃ２１のアルキニル基に対するピークの総面積であり、
Ｑは、ＨＰＬＣ又はＧＣにより検出される前記Ｒ１、Ｒ２、Ｒ５、Ｒ６、Ｒ７、Ａ及びＢ内の飽和炭化水素、すなわちＣ７〜Ｃ２１のアルキル基に対するピークの総面積である。
【請求項２】
前記正イオン界面活性剤は、下記の数学式２をさらに満足させることを特徴とする、請求項１に記載の繊維柔軟用組成物：
数学式２
Ｐ／Ｔ≧０.９
前記式中、
Ｐは、ＨＰＬＣ(high pressure liquid chromatography)又はＧＣ(gas chromatography)により検出される前記Ｒ１、Ｒ２、Ｒ５、Ｒ６、Ｒ７、Ａ及びＢ内のＣ１２〜Ｃ１８のアルキル基、Ｃ１２〜Ｃ１８のアルケニル基及びＣ１２〜Ｃ１８のアルキニル基に対するピークの総面積であり、
Ｔは、請求項１で定義したものと同様である。
【請求項３】
前記正イオン界面活性剤は、下記の数学式３を満足させることを特徴とする、請求項１に記載の繊維柔軟用組成物：
数学式３
０.６≦(Ｑ１／Ｔ１)＊Ｘ＋(Ｑ２／Ｔ２)＊Ｙ＋(Ｑ３／Ｔ３)＊Ｚ≦０.９
前記式中、
Ｔ１は、ＨＰＬＣ(high pressure liquid chromatography)により検出される前記Ｒ１及びＲ２のＣ７〜Ｃ２１のアルキル基、Ｃ７〜Ｃ２１のアルケニル基及びＣ７〜Ｃ２１のアルキニル基に対するピークの総面積であり、
Ｑ１は、ＨＰＬＣにより検出される前記Ｒ１及びＲ２の飽和炭化水素、すなわちＣ７〜Ｃ２１のアルキル基に対するピークの総面積であり、
Ｔ２は、ＧＣ(gas chromatography)により検出される前記Ｒ５及びＲ６のＣ７〜Ｃ２１のアルキル基、Ｃ７〜Ｃ２１のアルケニル基及びＣ７〜Ｃ２１のアルキニル基に対するピークの総面積であり、
Ｑ２は、ＧＣにより検出される前記Ｒ５及びＲ６の飽和炭化水素、すなわちＣ７〜Ｃ２１のアルキル基に対するピークの総面積であり、
Ｔ３は、ＧＣにより検出される前記Ｒ７、Ａ及びＢ内のＣ７〜Ｃ２１のアルキル基、Ｃ７〜Ｃ２１のアルケニル基及びＣ７〜Ｃ２１のアルキニル基に対するピークの総面積であり、
Ｑ３は、ＧＣにより検出される前記Ｒ７、Ａ及びＢ内の飽和炭化水素、すなわちＣ７〜Ｃ２１のアルキル基に対するピークの総面積であり、
Ｘは、全体正イオン界面活性剤の使用量に対する化学式１で表される化合物の重量比であり、
Ｙは、全体正イオン界面活性剤の使用量に対する化学式２で表される化合物の重量比であり、
Ｚは、全体正イオン界面活性剤の使用量に対する化学式３で表される化合物の重量比である。
【請求項４】
正イオン界面活性剤は、下記の数学式４を満足させることを特徴とする、請求項２に記載の繊維柔軟用組成物：
数学式４
(Ｐ１／Ｔ１)＊Ｘ＋(Ｐ２／Ｔ２)＊Ｙ＋(Ｐ３／Ｔ３)＊Ｚ≧０.９
前記式中、
Ｐ１は、ＨＰＬＣ(high pressure liquid chromatography)により検出される前記Ｒ１及びＲ２のＣ１２〜Ｃ１８のアルキル基、Ｃ１２〜Ｃ１８のアルケニル基及びＣ１２〜Ｃ１８のアルキニル基に対するピークの総面積であり、
Ｐ２は、 ＧＣ(gas chromatography)により検出される前記Ｒ５及びＲ６のＣ１２〜Ｃ１８のアルキル基、Ｃ１２〜Ｃ１８のアルケニル基及びＣ１２〜Ｃ１８のアルキニル基に対するピークの総面積であり、
Ｐ３は、ＧＣにより検出される前記Ｒ７、Ａ及びＢ内のＣ１２〜Ｃ１８のアルキル基、Ｃ１２〜Ｃ１８のアルケニル基及びＣ１２〜Ｃ１８のアルキニル基に対するピークの総面積であり、
Ｔ１、Ｔ２、Ｔ３、Ｘ、Ｙ及びＺは、ぞれぞれ請求項３で定義したものと同様である。
【請求項５】
正イオン界面活性剤の含量は、全体組成物１００重量部に対し、１０〜８０重量部であることを特徴とする、請求項１に記載の繊維柔軟用組成物。
【請求項６】
乳化剤をさらに含むことを特徴とする、請求項１に記載の繊維柔軟用組成物。
【請求項７】
乳化剤の含量は、全体組成物１００重量部に対し、３〜１０重量部であることを特徴とする、請求項６に記載の繊維柔軟用組成物。
【請求項８】
香料、防腐剤、安定化剤、色素又は抗菌剤をさらに含むことを特徴とする、請求項１に記載の繊維柔軟用組成物。
【請求項９】
基材シート；及び、
前記基材シートに塗布又は担持された請求項１〜請求項７の何れか一項に記載の繊維柔軟用組成物を含むことを特徴とする、繊維柔軟用シート。
【請求項１０】
前記基材シートは、ポリエチレンテレフタルレート(ＰＥＴ)、ポリプロピレン(ＰＰ)及びポリエチレン(ＰＥ)からなる群より選ばれる一つ以上の高分子を含む不織布であることを特徴とする、請求項９に記載の繊維柔軟用シート。
【発明の詳細な説明】
【技術分野】
【０００１】
本発明は、低温活性を持つ繊維柔軟用組成物及びこれを含む繊維柔軟用シートに関する。特に、有効成分として特定の化学式で表される１種以上の正イオン界面活性剤を含み、前記正イオン界面活性剤が特定の数学式を満足させる繊維柔軟用組成物及びこれを基材シートに塗布・担持させて製造される繊維柔軟用シートに関する。
【背景技術】
【０００２】
一般に、衣類の静電気防止及び柔軟性付与のために、大部分の家庭で洗濯時に繊維柔軟剤を使用しており、その使用量が順次増加しつつある。最近、生活水準の向上と共に、繊維柔軟剤の基本機能である静電気防止及び柔軟性付与以外にも、多様な機能を持つ家庭用繊維柔軟剤が市販されている。
【０００３】
しかしながら、国内市販の家庭用繊維柔軟剤は、大部分液状タイプであり、包装容器も１ｋｇ〜５ｋｇ程度の容量で販売されている。それでこれを購入して使用する主婦にとっては、重くて取扱い上の不便さがある。また、米国特許５０９４７６１、５１０２５６４、５２３４６１０、５３４８６６７、５４７０４９２、５４７６５９９、５５５２３７８、５８８３０６９、５９２９０２６、６１３３２２６、６２９７２１０、６３５２９６９、６４３６８９６等は、一般洗濯機のリンス時に使用する液状タイプの繊維柔軟剤とは異なり、乾燥機用として用いられるシートタイプの繊維柔軟剤を開示しているが、前記シートタイプの繊維柔軟剤は、軽くて使用が簡便であるが、低温洗濯水ではシート上の有効成分が溶解、分散されず、乾燥機の高温だけで性能が発揮されるという短所がある。
【先行技術文献】
【特許文献】
【０００４】
【特許文献１】米国特許５０９４７６１
【特許文献２】米国特許５１０２５６４
【特許文献３】米国特許５２３４６１０
【特許文献４】米国特許５３４８６６７
【特許文献５】米国特許５４７０４９２
【特許文献６】米国特許５４７６５９９
【特許文献７】米国特許５５５２３７８
【特許文献８】米国特許５８８３０６９
【特許文献９】米国特許５９２９０２６
【特許文献１０】米国特許６１３３２２６
【特許文献１１】米国特許６２９７２１０
【特許文献１２】米国特許６３５２９６９
【特許文献１３】米国特許６４３６８９６
【発明の概要】
【発明が解決しようとする課題】
【０００５】
本発明は、前記のような従来技術の問題点を解決するためのもので、その目的は、シート上に塗布・担持され易く、低温水で優れた溶解・分散性を持つ繊維柔軟用組成物を提供することにある。
【０００６】
本発明の他の目的は、液状タイプの繊維柔軟剤と同様に、一般洗濯機の洗濯過程中のリンス時に使用が可能であり、乾燥器用として用いられるシートタイプの繊維柔軟剤の長所である使用便利性を持つ繊維柔軟用シートを提供することにある。
【課題を解決するための手段】
【０００７】
本発明の繊維柔軟用組成物は、下記化学式１、化学式２又は化学式３で表される１種以上の正イオン界面活性剤を含むが、前記正イオン界面活性剤は、下記数学式１を満足させることを特徴とする。
【０００８】
化学式１
【０００９】
【化１】
2010522282.tif 000002
【００１０】
化学式２
【００１１】
【化２】
2010522282.tif 000003
【００１２】
化学式３
【００１３】
【化３】
2010522282.tif 000004
【００１４】
数学式１
Ｑ／Ｔ≧０.６
【００１５】
前記式中、Ｒ１、Ｒ２、Ｒ５、Ｒ６及びＲ７は、それぞれ直鎖状又は分岐状のＣ７〜Ｃ２１のアルキル基、Ｃ７〜Ｃ２１のアルケニル基又はＣ７〜Ｃ２１のアルキニル基であり、
Ｒ３及びＲ４は、それぞれＣ１〜Ｃ４のアルキル基であり、
Ａは、Ｃ１〜Ｃ４のアルキル基、(ＣＨ２)ｎＯＨ又は(ＣＨ２)ｍＯＣＯＲ８であり、
Ｂは、(ＣＨ２)ｎＯＨ又は(ＣＨ２)ｍＯＣＯＲ９であり
ここで、ｎ及びｍは、それぞれ１〜４の整数であり、
Ｒ８及びＲ９は、それぞれ直鎖状又は分岐状のＣ７〜Ｃ２１のアルキル基、Ｃ７〜Ｃ２１のアルケニル基又はＣ７〜Ｃ２１のアルキニル基であり、
Ｘは、ハロゲン又はＣ１〜Ｃ４の硫酸アルキル、好ましくはＦ、Ｃｌ、Ｉ、Ｂｒ、ＣＨ３ＳＯ４又はＣＨ３ＣＨ２ＳＯ４であり、
Ｔは、ＨＰＬＣ(high pressure liquid chromatography)又はＧＣ(gas chromatography)により検出される前記Ｒ１、Ｒ２、Ｒ５、Ｒ６、Ｒ７、Ａ及びＢ内の Ｃ７〜Ｃ２１のアルキル基、Ｃ７〜Ｃ２１のアルケニル基及びＣ７〜Ｃ２１のアルキニル基に対するピークの総面積であり、
Ｑは、ＨＰＬＣ又はＧＣにより検出される前記Ｒ１、Ｒ２、Ｒ５、Ｒ６、Ｒ７、Ａ及びＢ内の飽和炭化水素、すなわちＣ７〜Ｃ２１のアルキル基に対するピークの総面積である。
【００１６】
本発明による正イオン界面活性剤は、ＨＰＬＣ又はＧＣにより分析した飽和炭化水素(Ｃ７〜Ｃ２１のアルキル置換基)の比率が０.６以上であって、正イオン界面活性剤を含む繊維柔軟用組成物が塗布・担持された繊維柔軟用シートが洗濯過程中のリンス時に用いられる場合、有効成分の全部が溶解・分散される。
【００１７】
前記数学式１の比率は、０.６〜０.９であるのが好ましく、より好ましくは０.７〜０.９である。前記比率が０.６未満であれば、正イオン界面活性剤がシートに堅く塗布及び担持されなくて、シートから脱離され易いなどの問題が発生する。
【００１８】
また、本発明による正イオン界面活性剤は、下記数学式２をさらに満足させるのが好ましい。
【００１９】
数学式２
Ｐ／Ｔ≧０.９
【００２０】
前記式中、
Ｐは、ＨＰＬＣ又はＧＣにより検出される前記Ｒ１、Ｒ２、Ｒ５、Ｒ６、Ｒ７、Ａ及びＢ内のＣ１２〜Ｃ１８のアルキル基、Ｃ１２〜Ｃ１８のアルケニル基及びＣ１２〜Ｃ１８のアルキニル基に対するピークの総面積であり、
Ｔは、前記で定義したものと同様である。
【００２１】
前記正イオン界面活性剤は、ＨＰＬＣ又はＧＣにより検出されるＲ１、Ｒ２、Ｒ５、Ｒ６、Ｒ７、Ａ及びＢ内の長鎖置換基(Ｃ１２〜Ｃ１８のアルキル基、Ｃ１２〜Ｃ１８のアルケニル基及びＣ１２〜Ｃ１８のアルキニル基)の比率が０.９以上であって、ファンデルワールス力(Van der Waals' force)によりシートに塗布・担持され易く、前記正イオン界面活性剤を含む繊維柔軟用組成物がシートに塗布・担持される場合、繊維柔軟用シートが水に溶解される前には正イオン界面活性剤を含む有効成分がシートから容易に分離されない。
【００２２】
また、本発明による正イオン界面活性剤は、下記数学式３をさらに満足させるのが好ましい。
【００２３】
数学式３
０.６≦(Ｑ１／Ｔ１)＊Ｘ＋(Ｑ２／Ｔ２)＊Ｙ＋(Ｑ３／Ｔ３)＊Ｚ≦０.９
【００２４】
前記式中、
Ｔ１は、ＨＰＬＣにより検出される前記Ｒ１及びＲ２のＣ７〜Ｃ２１のアルキル基、Ｃ７〜Ｃ２１のアルケニル基及びＣ７〜Ｃ２１のアルキニル基に対するピークの総面積であり、
Ｑ１は、ＨＰＬＣにより検出される前記Ｒ１及びＲ２の飽和炭化水素、すなわちＣ７〜Ｃ２１のアルキル基に対するピークの総面積であり、
Ｔ２は、ＧＣにより検出される前記Ｒ５及びＲ６のＣ７〜Ｃ２１のアルキル基、Ｃ７〜Ｃ２１のアルケニル基及びＣ７〜Ｃ２１のアルキニル基に対するピークの総面積であり、
Ｑ２は、ＧＣにより検出される前記Ｒ５及びＲ６の飽和炭化水素、すなわちＣ７〜Ｃ２１のアルキル基に対するピークの総面積であり、
Ｔ３は、ＧＣにより検出される前記Ｒ７、Ａ及びＢ内のＣ７〜Ｃ２１のアルキル基、Ｃ７〜Ｃ２１のアルケニル基及びＣ７〜Ｃ２１のアルキニル基に対するピークの総面積であり、
Ｑ３は、ＧＣにより検出される前記Ｒ７、Ａ及びＢ内の飽和炭化水素、すなわちＣ７〜Ｃ２１のアルキル基に対するピークの総面積であり、
Ｘは、全体正イオン界面活性剤の使用量に対する化学式１で表される化合物の重量比であり、
Ｙは、全体正イオン界面活性剤の使用量に対する化学式２で表される化合物の重量比であり、
Ｚは、全体正イオン界面活性剤の使用量に対する化学式３で表される化合物の重量比である。
【００２５】
また、本発明による正イオン界面活性剤は、下記数学式４をさらに満足させるのが好ましい。
【００２６】
数学式４
(Ｐ１／Ｔ１)＊Ｘ＋(Ｐ２／Ｔ２)＊Ｙ＋(Ｐ３／Ｔ３)＊Ｚ≧０.９
【００２７】
前記式中、
Ｐ１は、ＨＰＬＣにより検出される前記Ｒ１及びＲ２のＣ１２〜Ｃ１８のアルキル基、Ｃ１２〜Ｃ１８のアルケニル基及びＣ１２〜Ｃ１８のアルキニル基に対するピークの総面積であり、
Ｐ２は、ＧＣにより検出される前記Ｒ５及びＲ６のＣ１２〜Ｃ１８のアルキル基、Ｃ１２〜Ｃ１８のアルケニル基及びＣ１２〜Ｃ１８のアルキニル基に対するピークの総面積であり、
Ｐ３は、ＧＣにより検出される前記Ｒ７、Ａ及びＢ内のＣ１２〜Ｃ１８のアルキル基、Ｃ１２〜Ｃ１８のアルケニル基及びＣ１２〜Ｃ１８のアルキニル基に対するピークの総面積であり、
Ｔ１、Ｔ２、Ｔ３、Ｘ、Ｙ及びＺは、それぞれ前記で定義したものと同様である。
【００２８】
前記正イオン界面活性剤は、全体組成物１００重量部に対し、１０〜８０重量部を含むことが好ましい。１０重量部未満であれば柔軟効果が著しく低下し、８０重量部を超過すればシート相の製造に困難さがある。
【００２９】
また、本発明の繊維柔軟用組成物は、乳化剤をさらに含むことが好ましい。乳化剤は、シート製造の容易性及び製造されたシートに含浸された有効成分が洗濯時に洗濯水で全部溶解、分散される側面から、親水親油バランス(Hydrophilic-Lipophilic Balance：以下、“ＨＬＢ”という)が８〜１２である乳化剤を含むことがより好ましい。
【００３０】
乳化剤は、全体組成物１００重量部に対し、３〜１０重量部を含むことが好ましい。３重量部未満であればシート製造及びシート製造後の洗濯水内で有効成分の分散性が低下し、１０重量部を超過すればシート製造後の滑動現象が激しくなって使用上の不便さがある。
【００３１】
本発明で用いられる乳化剤としては、ポリオキシエチレンステアリン酸エステル、ポリオキシエチレンオレイン酸エステル、ポリオキシエチレンココナッツエステル（polyoxyethylene coconut ester） 、ポリオキシエチレンセチルステアリルエーテル、ポリオキシエチレンステアリルエーテル、ポリオキシエチレンセチルエーテル、ポリオキシエチレンオレイルエーテル、ポリオキシエチレンラウリルエーテル、ポリオキシエチレンオクチルフェニルエーテル、ポリオキシエチレンノニルフェニルエーテル、エトキシ化キャスターオイル、エトキシ化キャスターワックス、ポリオキシエチレンソルビタンエステル、ソルビタン脂肪酸エステル、ポリオキシエチレンラウリルアミン、ポリオキシエチレンタローアミン、ポリオキシエチレンステアリルアミン、ポリオキシエチレンメチルエーテル、ポリオキシエチレンブチルエーテル、ポリオキシエチレンオクチルエーテル、ポリオキシエチレントリデシルエーテル、ポリエチレングリコール、ポリプロピレングリコール、ポリオキシエチレンオキシプロピレングリコール、ポリエチレングリコール脂肪酸エステル、エチレングリコール脂肪酸エステル、アルキルエステル、ポリオキシアルキレンアルキルエーテル、ポリオキシアルキレンアルキルアリールエーテル、ポリオキシアルキレンアルキルエステル、ポリオキシアルキレンアルキルアリールエーテル、ポリオキシアルキレンアルキルアリールエステル、ポリオキシアルキレンアリールエーテル、ポリオキシアルキレン誘導体、ポリオキシアルキレンポリオール、ポリエチレングリコールモノラウレート、ポリエチレングリコールジラウレート、ポリエチレングリコールモノステアラート、ポリエチレングリコールジステアレート、ポリエチレングリコールモノオレエート、ポリエチレングリコールジオレエート、ラウリン酸メチル、ミリスチン酸エチル、パルミチン酸メチル、オレイン酸メチル、ステアリン酸メチル、オレイン酸ｎ−ブチル、ステアリン酸ｎ−ブチル、ステアリン酸イソブチル、オレイン酸イソブチル、オレイン酸イソオクチル、ステアリン酸イソオクチル、パルミチン酸イソオクチル、オレイン酸トリメチルプロパン、アジピン酸ジオレイル、ナトリウムジイソオクチルスルホサクシネート、二ナトリウムラウリルスルホサクシネート、イセチオン酸ナトリウム、ココイルイセチン酸ナトリウム（sodium cocoylisethionate）、ジメチルアルキルベタイン、アミンオキシド、アルカノールアミド、アセチル化ステアリン酸グリコール、メタクリル酸ステアリル共重合体、ビニルイソデカノエートクロスポリマー、メタクリル酸アリルクロスポリマー、アーモンドオイルＰＥＧ−６エステル、アーモンドオイルＰＥＧ−８エステル、ベヘン酸アルミニウム、リン酸ジセチルアルミニウム、ジリノール酸アルミニウム、ジミリスチン酸アルミニウム、イソステアリン酸アルミニウム、ミリスチン酸アルミニウム、ステアリン酸アルミニウム、トリステアリン酸アルミニウム、ココ硫酸アンモニウム(ammonium coco-sulfate)、フォスファチジルナダネ油脂肪酸アンモニウム(ammonium phosphatidyl rapeseedate)、ポリアクリル酸アンモニウム、アンモニウムポリアクリルオキシジメチルタウレート、アンモニウムスチレン、アプリコットカーネルオイ��ＰＥＧ−６／８／４０エステル、アラキジルアルコール、アルガンオイルＰＥＧ−８エステル、アルガンオイルポリセリル−６エステル、アボカドオイルＰＥＧ−８／１１エステル、アボカドオイルプロピレングリコールエステル、塩化ババススアミドプロピルトリモニウム(babassuamidepropyltrimonium chloride)、ババススアミドプロピルトリモニウムメトサルフェート(babassuamidopropyltrimonium, chloride)、蜜蝋、ワックス酸、べへネス−２０(ｂｅｈｅｎｅｔｈ−２０)、ステアリン酸べヘノイル、ベヘニルアルコール、ベントナイト、ベンゼンスルホニルトロメタミド、ビス−ＰＥＧ／ＰＰＧ−１４／１４ジメチコン、ビス−ＰＥＧ／ＰＰＧ−２０／２０ジメチコン、ビス(ＰＰＧ−７ ウンテセネス−２１)ジメチコン（ bis(PPG-7 undeceneth-21) dimethicone）、ブチルデシルエステル、ベヘン酸ブチレングリコール、ヤシ脂肪酸ブチレングリコール、イソステアリン酸ブチレングリコール、ラウリル酸ブチレングリコール、ミリスチン酸ブチレングリコール、オレイン酸ブチレングリコール、パルミチン酸ブチレングリコール、ステアリン酸ブチレングリコール、ブチルグリコシドキャップレート(butylglycoside caprate)、ブチルグリコシドヒドロキシプロピルトリモニウムクロリド、ブチルオクタン酸、Ｃ１８−３６酸グリコールエステル、Ｃ１２−２０酸ＰＥＧ８エステル、カルシウムカルボキシメチルセルローズ、カルシウムカラギーナン(calcium carageenan)、ラウリル酸カルシウム、ミリスチン酸カルシウム、カルシウムポタシウムカーボマー、オクテニルコハク酸デンプンカルシウム、ステアリン酸カルシウム、Ｃ９−１１アルコール、Ｃ１２−１３アルコール、 Ｃ１２−１５アルコール、Ｃ１２−１６アルコール、Ｃ１２−１５アルコール、 Ｃ１２−２２アルコール、Ｃ２０−２２アルコール、Ｃ２０−４０アルコール、Ｃ３０−５０アルコール、Ｃ１０−１６アルキルグリコシド、Ｃ１２−２０アルキルグリコシド、Ｃ１８−３８アルキルヒドロキシステアロイルステアレート、Ｃ９−１５リン酸アルキル、Ｃ２０−２２リン酸アルキル、カノラオイルグリセリド、ｃａｐｒｙｌｅｔｈ−４／５、トリ(カプリル酸／カプリン酸)グリセリルＰＥＧ−４エステル（caprylic/capric triglyceride PEG-4 ester）、カプリリルジメチコンエトキシグリコシド、カーボマー、カルボキシメチルセルロースアセテートブチレート、カルボキシメチルヒドロキシエチルセルロース、セテアレス−２／３／４／５／６／７／８／９／１０／１１／１２／１３／１４／１５／１６／１７／１８／２０／２２（ｃｅｔｅａｒｅｔｈ−２／３／４／５／６／７／８／９／１０／１１／１２／１３／１４／１５／１６／１７／１８／２０／２２）、セテアレス−６オリベット（ceteareth-6 olivate）、ステアリルアルコール、セテアリルグリコシド、セテアリルフスマグリコシド、セテアリル麦わらグリコシド、セテス −１／２／３／４／５／６／７／８／１０／１２／１３／１４／１５／１６／１７／１８（ｃｅｔｅｔｈ−１／２／３／４／５／６／７／８／１０／１２／１３／１４／１５／１６／１７／１８）、セテレス−２／４／５／６／１０／１１／１５（ｃｅｔｅｒｅｔｈ−２／４／５／６／１０／１１／１５）、セトリモニウムブロミド、セトリモニウムクロリド、セトリモニウムメトサルフェート、セチルアルコール、セチルヒドロキシエチルセルロース、セチルｐｅｇ／ｐｐｇ−７／３ジメチコン、リン酸セチル、Ｃ１５−１８グリコール、Ｃ１８−３０グリコール、コレス−５／１０／１５／２０／２４／３０（ｃｏｌｅｔｈ−５／１０／１５／２０／２４／３０）、コセス−３／５／６／７／８／１０／２０／２５（ｃｏcｅｔｈ−３／５／６／７／８／１０／２０／２５、ココナットオイルＰＥＧ−１０エステル、ココイルエチルグリコシド、ＤＥＡセチルサルフェート、ベヘン酸デキストリン、ラウリル酸デキストリン、ミリスチン酸デキストリン、パルミチン酸デキストリン、ステアリン酸デキストリン、アルコキシル化アルコール、 ジセテアレス−１０リン酸（diceteareth-10 phosphate）、リン酸ジセチル、ヤシ油脂肪酸ジエチルアミノエチル、ステアリン酸ジエチルアミノエチル、ドデカン二酸ジイソセチル、ジメチルカプルアミド、ジメチルオクチンジオール、リン酸ジオレイル、二ナトリウムセテアリルスルホサクシネート、クエン酸ココグリコシド二ナトリウム、リン酸ラウリル二ナトリウム、 二ナトリウムＰＥＧ−８リシノサクシネート、ジステアルアミドプロピルメチルアミン、ドデシルヘキサデカノール、グルコースペンタアセテート、グリセリルアラキダート、ベヘン酸グリセリル、グリセリルカルペート、グリセリルカルリレート、ヤシ油脂肪酸グリセリル、エルカ酸グリセリル、イソステアリン酸グリセリル、イソステアリン酸／ミリスチン酸グリセリル、イソステアリン酸グリセリル、ラノリン脂肪酸グリセリル（glyceryl lanolate）、グリセリルラウレート、グリセリルラウレート／オレエート、グリセリルラウレートse、グリセリルラウリルエーテル、リノール酸グリセリル(glyceryl linoleate)、リノレン酸グリセリル(glyceryl linolenate)、モンタン酸グリセリル、ミリスチン酸グリセリル、オレイン酸グリセリル、オレイン酸クエン酸グリセリル、オレイン酸／エライジン酸グリセリル(glyceryl oleate/elaidate)、パルミチン酸グリセリル、ペンタデカン酸グリセリル、リシノール酸グリセリル、ロジン酸グリセリル、ステアリン酸グリセリル、ステアリン酸クエン酸グリセリル、牛脂脂肪酸グリセリル(glyceryl tallowate)、グリセリルウンデシレンエート、ヒドロキシステアリン酸グリコール、モンタン酸グリコール、オレイン酸グリコール、パルミチン酸グリコール、リシノル酸グリコール、ステアリン酸グリコール、グリコールタレート、ジヘキサデシルエイコサン酸、ヒドロキシエチルエキルセルロース、ヒドロキシプロピルセルロース、ヒドロキシプロピルメチルセルロース、ヒドロキシプロピルキサンタンガム(hydroxypropyl xanthan gum)、ラウリルアルコール、ラウリン酸ラウリル、リン酸ラウリル、レシチン、メチルセルロース、リン酸オレイルエチル、リン酸オレイル、パーム酸、パームアルコール、パルミチン酸パームグリコシド、パームカーネルアルコール、アルコキシ化カルボン酸、アルコキシ化アミン、アルコキシ化アミド、ソルビタン誘導体、ポリプロピレンテレフタレート、オクテニルコハク酸ポタシウムデキストリン、蜜蝋ナトリウム、ナトリウムベヘノイルラクチレート、ナトリウムカプロイルラクチレート、ナトリウムカルピレート、セルロース硫酸ナトリウム、セチル��酸ナトリウム、アルキルアミドアルキルアミン、リノーレ酸ナトリウム、ナトリウムステアリルフタルアマート、ステアリル硫酸ナトリウム、ステアリルアルコール、ヤシ脂肪酸スクロース、ジラウリン酸スクロース、ジステアリン酸スクロース、ヘキサエルカ酸スクロース、ラウリン酸スクロース、ミリスチン酸スクロース、オレイン酸スクロース、パルミチン酸スクロース及びタローグリセリドからなる群より選ばれる１種又は２種以上を含むことが好ましい。
【００３２】
また、本発明の繊維柔軟用組成物は、香料、防腐剤、安定化剤、色素又は抗菌剤をさらに含むことが好ましい。
【００３３】
本発明で用いられる香料は、繊維柔軟剤や洗濯洗剤などの通常の香料が用いられる。安定化剤は、耐熱又は耐光安定化剤であるのが好ましく、当業者であれば容易に選定して用いられる。
【００３４】
また、本発明で用いられる色素は、繊維柔軟剤や洗濯洗剤などに含まれる通常の色素が用いられるが、衣類の色相を損傷させないものを用いることが好ましい。抗菌剤としては、通常の防腐剤又は正イオン性抗菌剤が用いられる。
【００３５】
また、本発明は、基材シート；及び、本発明による繊維柔軟用組成物を含む繊維柔軟用シートに関するものである。
【００３６】
本発明の繊維柔軟用シートは、液状タイプの繊維柔軟剤と同様な方法により衣類の洗濯過程中のリンス時に投入して使用可能であり、乾燥機用シートタイプの繊維柔軟剤の長所である使用便利性を持つ。
【００３７】
本発明の繊維柔軟用シートは、有効成分を用いて本発明による繊維柔軟用造成物を基材シートに塗布、担持させて製造した後、適当なサイズに切断して繊維柔軟用シートを製造することが好ましい。
【００３８】
前記基材シートは、ポリエチレンテレフタルレート(以下、‘ＰＥＴ’という)、ポリプロピレン(以下、‘ＰＰ’という)及びポリエチレン(以下、‘ＰＥ’という)からなる群より選ばれる一つ以上の高分子を含む不織布であるのが好ましい。
【００３９】
基材シートに前記繊維柔軟用組成物を塗布、担持する方法は、特別に限定されず、通常の方法が用いられる。繊維柔軟剤組成物の総量及び基材シートのサイズも特別に限定されず、通常の洗濯水に要求される繊維柔軟剤の有効量及びシートの液状成分吸収能を考慮して適切に選択することができる。
【００４０】
前述したように製造された本発明の繊維柔軟用シートは、シートに担持された有効成分が洗濯過程中のリンス時に低温水、通常０℃〜２５℃でも水で全部溶解、分散されて衣類に繊維柔軟効果及び帯電防止効果を果す。
【００４１】
本発明による繊維柔軟用組成物は、シートに塗布・担持され易く、低温水に全部溶解・分散される優れた溶解性を持つ。また、前記繊維柔軟用組成物を含む繊維柔軟用シートは、一般洗濯機のリンス時に必要な量だけ洗濯物と共に投入されることで、繊維及び衣類に優れた柔軟効果、帯電防止効果及び残香感などを付与し、乾燥機用シートの長所である使用便利性を持つ。
【発明の効果】
【００４２】
本発明の繊維柔軟用組成物は、シートに塗布・担持され易く、低温水でも全部溶解、分散される優れた溶解性を持つ。また、前記繊維柔軟用組成物を含む繊維柔軟用シートは、一般洗濯機のリンス時に必要な量だけ洗濯物と共に投入されることで、繊維及び衣類に優れた帯電防止効果及び繊維柔軟効果を果す。
【発明を実施するための形態】
【００４３】
以下、実施例により本発明を詳細に説明する。但し、実施例は、本発明を例示するためのもので、これに限定されるものではない。
【００４４】
＜正イオン界面活性剤の置換基の分析＞
エステルクアット内の置換基の分析
水を除去した試料を８０℃で３時間メチル化(methylation)した後、ヘキサンで反応された成分を抽出してＧＣ分析を行うことで、エステルクアット内の長鎖の置換基(Ｃ１２〜Ｃ１８のアルキル基、Ｃ１２〜Ｃ１８のアルキル基、Ｃ１２〜Ｃ１８のアルキル基)の比率及び飽和炭化水素(Ｃ７〜Ｃ２１のアルキル基)の比率を測定した。
【００４５】
イミダゾール内の置換基の分析
試料をジオクサン及び水酸化カリウムに入れ、１０５℃で２時間反応させた後、ＨＣ１溶液に入れ、１０５℃で４時間さらに反応させ、エーテル抽出後、水を除去した生成物を８０℃で３時間メチル化させた後、ヘキサンで反応された成分を抽出してＧＣ分析を行うことで、イミダゾール内の長鎖の置換基(Ｃ１２〜Ｃ１８のアルキル基、Ｃ１２〜Ｃ１８のアルキル基、Ｃ１２〜Ｃ１８のアルキル基)の比率及び飽和炭化水素(Ｃ７〜Ｃ２１のアルキル基)の比率を測定した。
【００４６】
ＤＤＡＣ内の置換基の分析
試料をＩＰＡに十分に溶解させた後、０.４５μｍのディスクフィルター(diskfilter)で濾過した後、ＨＰＬＣを用いてＤＤＡＣ内の長鎖の置換基(Ｃ１２〜Ｃ１８のアルキル基、Ｃ１２〜Ｃ１８のアルキル基、Ｃ１２〜Ｃ１８のアルキル基)の比率及び飽和炭化水素(Ｃ７〜Ｃ２１のアルキル基)の比率を測定した。
【実施例】
【００４７】
実施例１〜実施例３
下記の表１に示す成分及び造成比率を用いて、通常の方法により実施例１〜実施例３のシートに塗布される繊維柔軟用組成物を製造し、これを不織布に含浸させて繊維柔軟用シートを製造した。下記の化学式１〜化学式３の正イオン界面活性剤の長鎖の置換基(Ｃ１２〜Ｃ１８のアルキル基、Ｃ１２〜Ｃ１８のアルキル基、Ｃ１２〜Ｃ１８のアルキル基)の比率は、それぞれ０.９２、０.９４及び０.９５であり、飽和炭化水素(Ｃ７〜Ｃ２１のアルキル基)の比率は、それぞれ０.８８、０.６２及び０.６６であるものを用いた。
【００４８】
【表１】
2010522282.tif 000005
【００４９】
実施例４〜実施例６
実施例４、実施例５及び実施例６の繊維柔軟用組成物は、それぞれ実施例１、実施例２及び実施例３と同様な比率及び方式により製造するが、乳化剤としてオレイルエーテルＯＡ−２０(ＨＬＢ １５.４)を同量で用いて製造した。
【００５０】
実施例７〜実施例９
実施例７、実施例８及び実施例９の繊維柔軟用組成物は、それぞれ実施例１、実施例２及び実施例３と同様な比率及び方式により製造するが、乳化剤としてオクチルフェニルエーテルＯＰ−５(ＨＬＢ １０.３)を同量で用いて製造した。
【００５１】
実施例１０〜実施例１２
実施例１０、実施例１１及び実施例１２の繊維柔軟用組成物は、それぞれ 実施例１、実施例２及び実施例３と同様な比率及び方式により製造するが、乳化剤としてラウリルエーテルＬＡ−６(ＨＬＢ １１.５)を同量で用いて製造した。
【００５２】
実施例１３〜実施例１５
実施例１3、実施例１４及び実施例１５の繊維柔軟用組成物は、それぞれ 実施例１、実施例２及び実施例３と同様な比率及び方式により製造するが、乳化剤としてセチルエーテルＣＡ−７(ＨＬＢ １１.２)を同量で用いて製造した。
【００５３】
実施例１６〜実施例１８
実施例１6、実施例１７及び実施例１８の繊維柔軟用組成物は、それぞれ実施例１、実施例２及び実施例３と同様な比率及び方式により製造するが、乳化剤としてステアリルエーテルＳＡ−７(ＨＬＢ １０.７)を同量で用いて製造した。
【００５４】
実施例１９〜実施例２１
実施例１9、実施例２0及び実施例２1の繊維柔軟用組成物は、それぞれ実施例１、実施例２及び実施例３と同様な比率及び方式により製造するが、乳化剤としてココナッツエステルＦＡ−０７Ｃ(ＨＬＢ １２.１)を同量で用いて製造した。
【００５５】
実施例２２〜実施例２４
実施例２２、実施例２３及び実施例２４の繊維柔軟用組成物は、それぞれ実施例１、実施例２及び実施例３と同様な比率及び方式により製造するが、乳化剤としてステアリルアミンＳＭ−５(ＨＬＢ ９)を同量で用いて製造した。
【００５６】
実施例２５〜実施例２７
実施例２５、実施例２６及び実施例２７の繊維柔軟用組成物は、それぞれ実施例１、実施例２及び実施例３と同様な比率及び方式により製造するが、乳化剤としてポリエチレングリコールＰＥＧ ２００(ＨＬＢ ９.３)を同量で用いて製造した。
【００５７】
実施例２８〜実施例３０
実施例２８、実施例２９及び実施例３０の繊維柔軟用組成物は、それぞれ実施例１、実施例２及び実施例３と同様な比率及び方式により製造するが、乳化剤としてポリオキシエチレンノニルフェニルエーテルＮＰ−６０(ＨＬＢ １８.５)を同量で用いて製造した。
【００５８】
比較例１〜比較例４
下記の表２に示す成分及び造成比率を用いて、通常の方法により比較例１〜比較例４の繊維柔軟用組成物を製造し、これをシートに塗布させて繊維柔軟用シートを製造した。このとき、比較例１のＤＤＡＣは、長鎖の置換基(Ｃ１２〜Ｃ１８のアルキル基、Ｃ１２〜Ｃ１８のアルキル基、Ｃ１２〜Ｃ１８のアルキル基)の比率が０.５であり、飽和炭化水素(Ｃ７〜Ｃ２１のアルキル基)の比率が０.５６であるものを用いた。下記の比較例２のＤＤＡＣは、長鎖の置換基の比率が０.４であり、飽和炭化水素の比率が０.５であるものを用いた。下記の比較例３のＥＱは、長鎖の置換基の比率が０.４であり、飽和炭化水素の比率が０.５であるものを用いた。下記の比較例４のイミダゾリンは、長鎖の置換基の比率が０.４であり、飽和炭化水素の比率が０.５であるものを用いた。
【００５９】
【表２】
2010522282.tif 000006
【００６０】
実験例１：柔軟効果の試験
１００％の綿タオルを一般の洗濯洗剤の標準使用量を用い、洗濯機で５回繰返して洗濯した後、脱水したものを、上記の実施例及び比較例の繊維柔軟用シート１枚を用いてそれぞれのリンス水(浴比１：３０、２５℃)に柔軟処理し、脱水して２０℃、６５％ＲＨ条件で２４時間洗い落とした。その後、熟練されたパネリスト(panelist)の官能評価試験により、触感程度を柔軟点数として最低１点〜５点まで付与し、これを３回以上繰返してその平均値により柔軟効果を測定した。
【００６１】
【表３】
2010522282.tif 000007
【００６２】
実験例２：吸水性の試験
標準綿布を緯糸及び経糸に区分して２×１５ｃｍサイズに切断した後、前記実験例１の方法と同様に柔軟処理し、２０℃、６５％ＲＨ条件で２４時間洗い落とした。その後、試料布をクランプ及び錘を用いて垂直に係止し、水溶性の青色染料を０.１％で希薄させた水溶液中に試料布の末端を同時に浸し、青色染料の上昇高さを２０分後に測定し、これを３回以上繰返してその平均値により吸収効果を試験した。
【００６３】
【表４】
2010522282.tif 000008
【００６４】
実験例３：静電気防止性の試験(摩擦帯電圧)
ＫＳ Ｋ−０９５０の染色堅牢度試験用百綿布、百ポリエステル布、ナイロン布(韓国衣類試験研究員の製作)をそれぞれ４×６ｃｍのサイズに切断し、前記実験例１の試験方法と同様に柔軟処理し、２０℃、６５％ＲＨ条件で２４時間洗い落とした。その後、試料布をDAIEI KAGAKU SEIKI MFG. CO., LTD(日本)製品である摩擦帯電圧測定器(Rotary Static Tester)を用いて、ＫＳ Ｋ−０５５５Ｂ試験方法により６０秒間６００ＲＰＭで回転摩擦させて発生した帯電圧を測定し、３回以上繰返して実験して静電気防止性を測定した。
【００６５】
実験例４：静電気防止性の試験(半減期)
布を前記実験例３の試験方法と同様に柔軟処理した後、２０℃、６５％ＲＨ条件で２４時間洗い落とした。ＫＳ Ｋ−０５５５Ａ試験方法を応用し、Rothschild-Instruments(スイス)製品である静電電圧計(Static Voltmeter)を用いて、初期電圧１５０Ｖを印加した後、電圧が半分に落ちる時間により正電圧漏洩速度を測定し、３回以上繰返して評価した。
【００６６】
【表５】
2010522282.tif 000009
【００６７】
実験例５：溶解性の試験
繊維柔軟用シートの有効成分が、洗濯後のリンス時に低温でどのくらい溶解されて洗濯水内に分散されるかを測定するために、３lビーカーに２０℃の低温水３lを入れ、実施例の製品及び比較例の製品をそれぞれ入れて５分間撹拌した後、最初の製品の重さと処理後の乾燥製品の重さとを測定して、有効成分の溶解程度を示す溶解性を測定し、３回以上繰返して測定した。
【００６８】
【表６】
2010522282.tif 000010
【００６９】
実施例及び比較例に対する性能評価の結果は、下記の表７に示す。
【００７０】
【表７】
2010522282.tif 000011
【００７１】
前記表７の結果から、実施例１〜実施例１２の繊維柔軟用シートは、比較例１〜比較例４の繊維柔軟用シートに比べて、柔軟性、溶解性、分解性、吸水性、静電気防止性が非常に優秀であることが分かる。
【００７２】
繊維柔軟用の本組成物はシートに容易に塗布または担持され、低温水でもあらゆる物質が溶解または分散される優れた溶解度を有する。さらに、前記繊維柔軟用組成物を含む繊維柔軟用シートは、洗濯物と一緒に、必要な量で、洗濯過程中のリンス時に用いて繊維及び衣類に優れた帯電防止効果及び繊維柔軟効果を果させるために使用してもよい。
【国際調査報告】
2010522282.tif 000015
2010522282.tif 000016